(57)【要約】【課題】本発明は薬剤篩分け装置を開示した。【解決手段】本発明の薬剤篩分け装置は、容箱を含み、前記容箱の左右両側の端面に前記ハンド槽が対応して設置され、前記ハンド槽の中にハンドラックが固定的に設置され、前記容箱の頂部端面に容腔が設置され、前記容箱の内壁体は容腔の右側に位置し前記第一転倉があり、前記第一転倉と容腔の間に第二転倉がある。前記容腔の中に第一転棒が左右に延伸するように設置され、前記第一転棒の左側端面に第一花鍵槽が設置される。本発明は構造が簡単で、操作も便利であるし、薬剤の加工効率と品質を向上させられる。【選択図】図3
2019126701.tif 000002
【特許請求の範囲】
【請求項１】
薬剤篩分け装置であって、容箱を含み、前記容箱の左右両側の端面にハンド槽が対応して設置され、前記ハンド槽の中にハンドラックが固定的に設置され、前記ハンドラックが前記容箱を持つ操作に用いられ、前記容箱の頂部端面に容腔が設置され、前記容箱の内壁体は前記容腔の右側に位置し、第一転倉があり、前記第一転倉と前記容腔の間に第二転倉があり、前記容腔の中に第一転棒が左右に延伸するように設置され、前記第一転棒の左側端面に第一花鍵槽が設置され、前記第一花鍵槽の中に第一花鍵棒が配合して設置され、前記第一花鍵棒の左側の末端延伸末梢と容腔の左側内壁が回転可能なように連結しており、前記第一転棒の右側延伸段と容箱が回転可能なように連結して、前記第二転倉の中に伸入し、前記容腔にある第一転棒の外表面に多組の転板が設置され、前記転板の左右両側の端面に多組のかき混ぜ割れ刀が固定的に設置され、前記第一転棒の右側延伸末梢に第二花鍵棒が固定的に取り付けられ、前記第二花鍵棒と第一転棒の左側端面にある第二花鍵槽が配合して連結し、前記第二転棒と容箱の内壁体が回転可能なように連結しており、前記第二転倉の中の第一転棒の外表面には頂推板が固定的に取り付けられ、前記頂推板の左側に位置する第二転倉の中に弾片が配合して取り付けられ、前記頂推板の右側に一軸承が配合して取り付けられ、前記軸承の中に偏斜輪があり、前記偏斜輪の上側端面に第三転棒が固定的に取り付けられ、前記第三転棒と第二転倉の内頂壁が回転可能なように連結して、前記第二転倉の上側の左右に延伸する安設槽の中に伸入し、前記第三転棒の最上部延伸末梢には第二歯チェーン輪が固定的に取り付けられ、前記第二歯チェーン輪は安設槽の中に回転可能なように取り付けられ、前記第二歯チェーン輪の右側の安設槽の中に第一歯チェーン輪が配合して設置され、前記第一歯チェーン輪の底部端面に第四転棒が固定的に設置され、前記第四転棒は安設槽の内底壁と回転可能なように連結して、その底部延伸段が第一転倉の中に伸入して、末梢には第一錐斜輪が固定的に設置され、前記第二転棒の右側延伸末梢は第一転倉の中に伸入して、末梢には第一錐斜輪と配合して連結する第二錐斜輪が固定的に設けられており、前記第一錐斜輪の底端動力を伝達可能なように第一電機が配合して設けられ、前記第一電機は第一転倉の内底壁の内に固定的に設けられ、前記容腔の内底壁に第一通合槽が貫通して設けられ、前記第一通合槽の内底壁に研磨腔が貫通して設けられ、前記研磨腔の中に研磨台が回転可能なように取り付けられ、前記研磨台の中には第一通合槽と貫通する第二通合槽が上下貫通して設置され、前記研磨台の底部端面に多組の研磨歯が固定的に設置され、前記研磨腔の内壁体に弧腔が設置され、前記弧腔の内頂壁の中に研磨台と固定的に連結する転円環が回転可能なように設置され、前記転円環の右側の容箱の内壁体に駆動構造が設置され、前記研磨台の下側にある研磨腔の中に篩網板が配合して設置され、前記篩網板の最上部端面には第二通合槽と対応するように設置する閉鎖栓が固定的に取り付けられ、前記篩網板の底部端面の中央部に振動器が固定的に取り付けられ、前記篩網板の底部端面の左右両側に液圧棒が固定的に設けられ、前記液圧棒の底部端面に液圧カメが配合して設けられ、前記液圧カメは研磨腔の内底壁に固定的に取り付けられ、前記容箱の底部端面には研磨腔と貫通して設置する排送腔が設置され、前記駆動構造は安設腔を含み、前記安設腔は弧腔の右側壁の容箱の内壁体にあり、前記安設腔の中に第三歯チェーン輪が回転可能なように設置され、前記第三歯チェーン輪は転円環の外歯圏と配合して連結しており、前記第三歯チェーン輪の底部端面には第二電機が設置され、前記第二電機の外表面は安設腔の内底壁に固定的に設置されることを特徴とする薬剤篩分け装置。
【発明の詳細な説明】
【技術分野】
【０００１】
本発明は薬剤の生産技術分野に関し、具体的には薬剤篩分け装置に関する。
【背景技術】
【０００２】
いくつかの薬剤の加工生産の中でよく混ぜることと研磨操作を行う必要がある。しかし現在の薬剤研磨装置の設定モードは単一で、研磨が不均一になりやすく、薬剤の生産効率を大幅に低下させる。
【先行技術文献】
【特許文献】
【０００３】
【特許文献１】中国実用新案第206950753号明細書
【発明の概要】
【発明が解決しようとする課題】
【０００４】
本発明は以下の技術方案を通じて実現する。本発明の薬剤篩分け装置は容箱を含み、前記容箱の左右両側の端面に前記ハンド槽が対応して設置され、前記ハンド槽の中にハンドラックが固定的に設置され、前記ハンドラックが容箱を持つ操作に用いられ、移動して運搬することを便利にする。前記容箱の頂部端面に容腔が設置され、前記容箱の内壁体は容腔の右側に位置し、前記第一転倉があり、前記第一転倉と容腔の間に第二転倉がある。前記容腔の中に第一転棒が左右に延伸するように設置され、前記第一転棒の左側端面に第一花鍵槽が設置され、前記第一花鍵槽の中に第一花鍵棒が配合して設置され、前記第一花鍵棒の左側の末端延伸末梢と容腔の左側内壁が回転可能なように連結している。前記第一転棒の右側延伸段と容箱が回転可能なように連結して、前記第二転倉の中に伸入する。前記容腔にある第一転棒の外表面に多組の転板が設置され、前記転板の左右両側の端面に多組のかき混ぜ割れ刀が固定的に設置され、前記第一転棒の右側延伸末梢に第二花鍵棒が固定的に取り付けられ、前記第二花鍵棒と第一転棒の左側端面にある第二花鍵槽が配合して連結し、前記第二転棒と容箱の内壁体が回転可能なように連結している。前記第二転倉の中の第一転棒の外表面には頂推板が固定的に取り付けられ、前記頂推板の左側に位置する第二転倉の中に弾片が配合して取り付けられ、前記頂推板の右側に軸承が配合して取り付けられる。前記軸承の中に偏斜輪があり、前記偏斜輪の上側端面に第三転棒が固定的に取り付けられる。前記第三転棒と第二転倉の内頂壁が回転可能なように連結して、前記第二転倉の上側の左右に延伸する安設槽の中に伸入する。前記第三転棒の最上部延伸末梢には第二歯チェーン輪が固定的に取り付けられ、前記第二歯チェーン輪は安設槽の中に回転可能なように取り付けられる。前記第二歯チェーン輪の右側の安設槽の中に第一歯チェーン輪が配合して設置され、前記第一歯チェーン輪の底部端面に第四転棒が固定的に設置される。前記第四転棒は安設槽の内底壁と回転可能なように連結して、その底部延伸段が第一転倉の中に伸入して、末梢には第一錐斜輪が固定的に設置される。前記第二転棒の右側延伸末梢は第一転倉の中に伸入して、末梢には第一錐斜輪と配合して連結する第二錐斜輪が固定的に設けられている。前記第一錐斜輪の底端動力を伝達可能なように第一電機が配合して設けられ、前記第一電機は第一転倉の内底壁の内に固定的に設けられる。前記容腔の内底壁に第一通合槽が貫通して設けられ、前記第一通合槽の内底壁に研磨腔が貫通して設けられ、前記研磨腔の中に研磨台が回転可能なように取り付けられる。前記研磨台の中には第一通合槽と貫通する第二通合槽が上下貫通して設置される。前記研磨台の底部端面に多組の研磨歯が固定的に設置され、前記研磨腔の内壁体に弧腔が設置され、前記弧腔の内頂壁の中に研磨台と固定的に連結する転円環が回転可能なように設置される。前記転円環の右側の容箱の内壁体に駆動構造が設置され、前記研磨台の下側にある研磨腔の中に篩網板が配合して設置される。前記篩網板の最上部端面には第二通合槽と対応するように設置する閉鎖栓が固定的に取り付けられ、前記篩網板の底部端面の中央部に振動器が固定的に取り付けられ、前記篩網板の底部端面の左右両側に液圧棒が固定的に設けられ、前記液圧棒の底部端面に液圧カメが配合して設けられ、前記液圧カメは研磨腔の内底壁に固定的に取り付けられ、前記容箱の底部端面には研磨腔と貫通して設置する排送腔が設置される。
【０００５】
好ましい技術方案として駆動構造は安設腔を含み、前記安設腔は弧腔の右側壁の容箱の内壁体にある。前記安設腔の中に第三歯チェーン輪が回転可能なように設置され、前記第三歯チェーン輪は転円環の外歯圏と配合して連結している。前記第三歯チェーン輪の底部端面には第二電機が設置され、前記第二電機の外表面は安設腔の内底壁に固定的に設置される。
【発明の効果】
【０００６】
本発明は構造が簡単で、操作も便利であるし、薬剤の加工効率と品質を向上させられる。
【図面の簡単な説明】
【０００７】
【図１】図１は本発明の薬剤篩分け装置の内部の全体構造案内図である。
【図２】図２は本発明の図1の中にAの拡大構造案内図である。
【図３】図３は本発明におけるハンドラック設置の位置案内図である。
【発明を実施するための形態】
【０００８】
説明しやすいため、本発明は以下の具体的な実施例と図面を交え詳しく説明する。
【０００９】
図１−図３のように、本発明の薬剤篩分け装置は容箱80を含み、前記容箱80の左右両側の端面に前記ハンド槽70が対応して設置され、前記ハンド槽70の中にハンドラック701が固定的に設置され、前記ハンドラック701が容箱80を持つ操作に用いられ、移動して運搬することを便利にする。前記容箱80の頂部端面に容腔821が設置され、前記容箱80の内壁体は容腔821の右側に位置し、前記第一転倉814があり、前記第一転倉814と容腔821の間に第二転倉853がある。前記容腔821の中に第一転棒826が左右に延伸するように設置され、前記第一転棒826の左側端面に第一花鍵槽825が設置され、前記第一花鍵槽825の中に第一花鍵棒824が配合して設置され、前記第一花鍵棒824の左側の末端延伸末梢と容腔821の左側内壁が回転可能なように連結している。前記第一転棒826の右側延伸段と容箱80が回転可能なように連結して、前記第二転倉853の中に伸入する。前記容腔821にある第一転棒826の外表面に多組の転板823が設置され、前記転板823の左右両側の端面に多組のかき混ぜ割れ刀822が固定的に設置され、前記第一転棒826の右側延伸末梢に第二花鍵棒854が固定的に取り付けられ、前記第二花鍵棒854と第一転棒816の左側端面にある第二花鍵槽855が配合して連結し、前記第二転棒816と容箱80の内壁体が回転可能なように連結している。前記第二転倉853の中の第一転棒826の外表面には頂推板859が固定的に取り付けられ、前記頂推板859の左側に位置する第二転倉853の中に弾片851が配合して取り付けられ、前記頂推板859の右側に一軸承858が配合して取り付けられる。前記軸承858の中に偏斜輪852があり、前記偏斜輪852の上側端面に第三転棒857が固定的に取り付けられる。前記第三転棒857と第二転倉853の内頂壁が回転可能なように連結して、前記第二転倉853の上側の左右に延伸する安設槽815の中に伸入する。前記第三転棒851の最上部延伸末梢には第二歯チェーン輪856が固定的に取り付けられ、前記第二歯チェーン輪856は安設槽815の中に回転可能なように取り付けられる。前記第二歯チェーン輪856の右側の安設槽815の中に第一歯チェーン輪817が配合して設置され、前記第一歯チェーン輪817の底部端面に第四転棒818が固定的に設置される。前記第四転棒818は安設槽815の内底壁と回転可能なように連結して、その底部延伸段が第一転倉814の中に伸入して、末梢には第一錐斜輪812が固定的に設置される。前記第二転棒816の右側延伸末梢は第一転倉814の中に伸入して、末梢には第一錐斜輪812と配合して連結する第二錐斜輪813が固定的に設けられている。前記第一錐斜輪812の底端動力を伝達可能なように第一電機811が配合して設けられ、前記第一電機811は第一転倉814の内底壁の内に固定的に設けられる。前記容腔821の内底壁に第一通合槽830が貫通して設けられ、前記第一通合槽830の内底壁に研磨腔834が貫通して設けられ、前記研磨腔834の中に研磨台849が回転可能なように取り付けられる。前記研磨台849の中には第一通合槽830と貫通する第二通合槽831が上下貫通して設置される。前記研磨台849の底部端面に多組の研磨歯840が固定的に設置され、前記研磨腔834の内壁体に弧腔832が設置され、前記弧腔832の内頂壁の中に研磨台849と固定的に連結する転円環833が回転可能なように設置される。前記転円環833の右側の容箱80の内壁体に駆動構造が設置され、前記研磨台849の下側にある研磨腔834の中に篩網板835が配���して設置される。前記篩網板835の最上部端面には第二通合槽831と対応するように設置する閉鎖栓845が固定的に取り付けられ、前記篩網板835の底部端面の中央部に振動器844が固定的に取り付けられ、前記篩網板835の底部端面の左右両側に液圧棒842が固定的に設けられ、前記液圧棒842の底部端面に液圧カメ841が配合して設けられ、前記液圧カメ841は研磨腔834の内底壁に固定的に取り付けられ、前記容箱80の底部端面には研磨腔834と貫通して設置する排送腔843が設置される。
【００１０】
好ましくは、駆動構造は安設腔848を含み、前記安設腔848は弧腔832の右側壁の容箱80の内壁体にある。前記安設腔848の中に第三歯チェーン輪847が回転可能なように設置され、前記第三歯チェーン輪847は転円環833の外歯圏と配合して連結している。前記第三歯チェーン輪847の底部端面には第二電機846が設置され、前記第二電機846の外表面は安設腔の内底壁に固定的に設置される。
【００１１】
本発明の有益な効果は、構造が簡単で、操作も便利であるし、薬剤の加工効率と品質を向上させられる。
【図１】
2019126701.tif 000003
【図２】
2019126701.tif 000004
【図３】
2019126701.tif 000005